(57)【特許請求の範囲】
【請求項１】
指定された動映像を背景画面にオーバーレイして再生されるようにする背景画面オーバーレイ部と；
システム資源の使用程度を把握し、システム使用量によって背景画面動映像の再生を一時中断したり再生するよう、持続的にモニターリングを行うシステムモニター部と；
動映像の実行、中止、一時停止などを包含する制御命令を生成して前記オーバーレイ部に出力する制御操作部とを含むことを特徴とする背景画面動映像媒体再生機。
【請求項２】
使用者の定義による再生ファイルリストの順次的再生、時間帯による再生ファイルの変更役割を遂行する再生リストスケジュール部をさらに含むことを特徴とする請求項１に記載の背景画面動映像媒体再生機。
【請求項３】
使用者がイベント予約を設定した場合、サービス提供サーバーと通信を行ってイベントの発生可否を判断し、イベントが発生した場合、使用者のコンピュータ内の予め指定された動映像を実行させるイベント処理部をさらに含むことを特徴とする請求項１または２に記載の背景画面動映像媒体再生機。
【請求項４】
前記イベント処理部は、予め指定された動映像が存在しない場合、サービス提供サーバー内の所定動映像を伝送してもらって実行させることを特徴とする請求項３に記載の背景画面動映像媒体再生機。
【請求項５】
前記イベント処理部は、予め指定された動映像が存在しない場合、ウェブカメラから実時間で所定動映像を伝送してもらって実行させることを特徴とする請求項３に記載の背景画面動映像媒体再生機。
【請求項６】
使用者が動映像サービスサーバーに接続するようにし、前記動映像サービスサーバーに存在する動映像ファイルたちの簡単なプリビューを行うようにサンプル動映像のストリーミング命令を伝達するウェブ接続部をさらに含むことを特徴とする請求項１、２、４または５のいずれかに記載の背景画面動映像媒体再生機。
【請求項７】
請求項１、２、４または５のいずれかに記載の背景画面動映像媒体再生機としての機能をコンピュータに実行させるためのプログラムを記録した、コンピュータが読み取り可能な記録媒体。
【請求項８】
再生される動映像ファイルの順次的な再生リストを生成する順次再生リスト生成段階と；
システム資源の使用状態を周期的に繰り返して判断するシステム資源使用判断段階と；
前記システム資源使用判断段階によって再生可能だと判断される場合、前記順次再生リストに従い背景画面上に動映像ファイルを再生する再生段階とを含むことを特徴とする背景画面動映像媒体再生機を利用した背景画面の動映像処理方法。
【請求項９】
再生される動映像ファイルの順次的な再生リストを生成する順次再生リスト生成段階と；
特定時間帯に実行される動映像ファイルの予約再生リストを生成する予約再生リスト生成段階と；
システム資源の使用状態を周期的に繰り返して判断するシステム資源使用判断段階と；
予約再生時間帯であるかを判断する予約時間判断段階と；
前記システム資源使用判断段階によって再生可能だと判断され、かつ前記予約時間判断段階で予約再生時間帯だと判断される場合は、前記予約再生リストに従い背景画面上に動映像ファイルを再生し、予約再生時間帯でないと判断される場合は、前記順次再生リストに従い背景画面上に動映像ファイルを再生する再生段階とを含むことを特徴とする背景画面動映像媒体再生機を利用した背景画面の動映像処理方法。
【請求項１０】
動映像サービスを提供するサーバーに接続する接続段階と；
前記サーバーから再生される動映像ファイルの順次的な再生リストを生成する順次再生リスト生成段階と；
システム資源の使用状態を周期的に繰り返して判断するシステム資源使用判断段階と；
前記システム資源使用判断段階によって再生可能だと判断される場合、前記順次再生リストに従い背景画面上に動映像ファイルを再生する再生段階とを含むことを特徴とする背景画面動映像媒体再生機を利用した背景画面の動映像処理方法。
【請求項１１】
動映像サービスを提供するサーバーに接続する接続段階と；
前記サーバーから再生される動映像ファイルの順次的な再生リストを生成する順次再生リスト生成段階と；
前記サーバーから特定時間帯に実行される動映像ファイルの予約再生リストを生成する予約再生リスト生成段階と；
システム資源の使用状態を周期的に繰り返して判断するシステム資源使用判断段階と；
予約再生時間帯であるかを判断する予約時間判断段階と；
前記システム資源使用判断段階によって再生可能だと判断され、かつ前記予約時間判断段階で予約再生時間帯だと判断される場合は、前記予約再生リストに従い背景画面上に動映像ファイルを再生し、予約再生時間帯でないと判断される場合は、前記順次再生リストに従い背景画面上に動映像ファイルを再生する再生段階とを含むことを特徴とする背景画面動映像媒体再生機を利用した背景画面の動映像処理方法。
【請求項１２】
動映像サービスを提供するサーバーに接続する接続段階と；
前記サーバーに連結され、実時間で動映像をサーバーに貯蔵する多数のウェブカメラの中、実行したいウェブカメラに対する順次的なチャンネルリストを選択する順次チャンネル選択段階と；
システム資源の使用状態を周期的に繰り返して判断するシステム資源使用判断段階と；
前記システム資源使用判断段階によって再生可能だと判断される場合、前記順次チャンネルリストに従い背景画面上に動映像ファイルを再生する再生段階とを含むことを特徴とする背景画面動映像媒体再生機を利用した背景画面の動映像処理方法。
【請求項１３】
動映像サービスを提供するサーバーに接続する接続段階と；
前記サーバーに連結され、実時間で動映像をサーバーに貯蔵する多数のウェブカメラの中、実行したいウェブカメラに対する順次的なチャンネルリストを選択する順次チャンネル選択段階と；
前記サーバーに連結され、実時間で動映像をサーバーに貯蔵する多数のウェブカメラの中、特定時間帯に実行したいウェブカメラに対する予約チャンネルリストを選択する予約チャンネル選択段階と；
システム資源の使用状態を周期的に繰り返して判断するシステム資源使用判断段階と；
予約再生時間帯であるかを判断する予約時間判断段階と；
前記システム資源使用判断段階によって再生可能だと判断され、かつ前記予約時間判断段階で予約再生時間帯だと判断される場合は、前記予約チャンネルリストに従い背景画面上に動映像ファイルを再生し、予約再生時間ではないと判断される場合は、前記順次チャンネルリストに従い背景画面上に動映像ファイルを再生する再生段階とを含むことを特徴とする背景画面動映像媒体再生機を利用した背景画面の動映像処理方法。
【請求項１４】
画像カメラの設置された個人用コンピュータで、画像サービスを提供する画像サービス提供サーバーに接続する接続段階と；
前記画像サービス提供サーバーに、画像カメラの設置された遠隔の個人用コンピュータへの連結を要請する連結要請段階と；
前記画像サービス提供サーバーから画像カメラの設置された遠隔の個人用コンピュータへの連結の承認を受け、この遠隔の個人用コンピュータに設置された画像カメラから実時間で動映像を受信する受信段階と；
システム資源の使用状態を周期的に繰り返して判断するシステム資源使用判断段階と；
前記システム資源使用判断段階によって再生可能だと判断される場合、背景画面上に前記受信される動映像ストリームを再生する再生段階とを含むことを特徴とする背景画面動映像媒体再生機を利用した背景画面の動映像処理方法。
【請求項１５】
前記再生段階で、システム資源使用判断段階によって再生可能だと判断されない場合、所定の停止画像を再生することを特徴とする請求項８ないし１４のいずれかに記載の背景画面動映像媒体再生機を利用した背景画面の動映像処理方法。
【請求項１６】
請求項８ないし１４のいずれかに記載の背景画面動映像媒体再生機を利用した背景画面の動映像処理方法をコンピュータに実行させるためのプログラムを記録した、コンピュータが読み取り可能な記録媒体。
【発明の詳細な説明】
（技術的分野）
本発明は、背景画面動映像媒体再生機および、これを利用した背景画面の動映像処理方法と、その媒体再生機または方法を実行させるためのプログラムを記録した、コンピュータが読み取り可能な記録媒体に関するものである。
【０００１】
（背景技術）
個人用コンピュータの使用者たちのマルチメディアに対する欲求を満たすために、ずっと以前より個人用コンピュータでＴＶが視聴できるＴＶカードが開発されて使用されている。現在、韓国内でもっとも認知度の高い製品は、‘ｓａｓｅｍ Ｃｏ., Ｌｔｄ.’の‘Ｏｎ−Ａｉｒ  ＴＶ’シリーズであり、このＴＶカードにはＴＶ映像を背景画面で見れるようにする機能がある。
【０００２】
しかし、この製品の場合、ＴＶカードに入力される映像物だけを背景画面で見れるもので、他のＭＰＥＧ，ＭＯＶファイルなどの個人用コンピュータで使用される動映像ファイルは背景画面で見ることができない限界を有していた。
【０００３】
動映像ファイルを背景画面に再生するプログラムとしては、現在韓国内に公開されているＳＡＳＡＭＩのような動映像ビューアープログラムがある。しかし、このようなプログラムは、特定動映像の背景画面上の鑑賞のために、単純に背景画面に特定動映像ファイルを読み込んできて再生できる機能を有しているだけである。つまり、一編のデジタル映画を鑑賞する用途に制作された。
【０００４】
つまり、前記従来の技術は動映像再生時にシステム資源を考慮しておらず、複数の動画像を任意の再生順序にプログラムしたり、望みの状況に望みの動映像が背景画面にディスプレイされるような、使用者側の面での多様な予約機能などが提供されていなかったので、背景画面媒体再生機に使用するには問題がある。
【０００５】
（発明の開示）
本発明は、前記のような従来の技術の問題点を解決しようという趣旨の下で発明されたもので、個人用コンピュータで再生可能な動映像ファイルを背景画面上で実行するために、システム資源を把握し、選択的に背景画面の動映像を提供することができるようにシステムをモニターリングする、背景画面動映像媒体再生機および、これを利用した背景画面の動映像処理方法と、前記媒体再生機または方法を実行（execution）させるためのプログラムを記録した、コンピュータが読み取り可能な記録媒体を提供することをその目的とする。
【０００６】
また、本発明は、個人用コンピュータで再生可能な動映像ファイルを背景画面上で実行するために、システム資源を把握し、選択的に背景画面動映像を提供して、使用者が望む時間に望みの動映像を背景画面で見れるようにスケジューリングすることができ、特定イベント発生時には、望みの動映像を背景画面で見ることができるようにする、背景画面動映像媒体再生機および、これを利用した背景画面の動映像処理方法と、前記媒体再生機または方法を実行させるためのプログラムを記録した、コンピュータが読み取り可能な記録媒体を提供することをその目的とする。
【０００７】
前記のような目的を達成するための本発明による背景画面動映像媒体再生機の一様状によると、本発明による背景画面動映像媒体再生機は、指定された動映像を背景画面にオーバーレイして再生されるようにする背景画面オーバーレイ部と；システム資源の使用程度を把握し、システム使用量によって背景画面動映像の再生を一時中断したり再生するよう、持続的にモニターリングを行うシステムモニター部と；動映像の実行、中止、一時停止などを包含する制御命令を生成して前記オーバーレイ部に出力する制御操作部とを含むことを特徴とする。
【０００８】
本発明による背景画面動映像媒体再生機の付加的な様状によると、本発明による背景画面動映像媒体再生機は、使用者の定義による再生ファイルリストの順次的再生、時間帯による再生ファイルの変更役割を遂行する再生リストスケジュール部をさらに含むことを特徴とする。
【０００９】
本発明による背景画面動映像媒体再生機の付加的な様状によると、本発明による背景画面動映像媒体再生機は、使用者がイベント予約を設定した場合、サービス提供サーバーと通信を行ってイベントの発生可否を判断し、イベントが発生した場合、使用者のコンピュータ内の予め指定された動映像を実行させるイベント処理部をさらに含むことを特徴とする。
【００１０】
本発明による背景画面動映像媒体再生機の付加的な様状によると、本発明による背景画面動映像媒体再生機の前記イベント処理部は、予め指定された動映像が存在しない場合、サービス提供サーバー内の所定動映像を伝送してもらって実行させることを特徴とする。
【００１１】
本発明による背景画面動映像媒体再生機の付加的な様状によると、本発明による背景画面動映像媒体再生機の前記イベント処理部は、前記予め指定された動映像が存在しない場合、ウェブカメラから実時間で所定動映像を伝送してもらって実行させることを特徴とする。
【００１２】
本発明による背景画面動映像媒体再生機のまた別の付加的な様状によると、本発明による背景画面動映像媒体再生機は、使用者が動映像サービスサーバーに接続するようにし、前記動映像サービスサーバーに存在する動映像ファイルの簡単なプリビューを行うように、サンプル動映像のストリーミング命令を伝達するウェブ接続部をさらに含むことを特徴とする。
【００１３】
本発明による背景画面動映像媒体再生機を利用した背景画面の動映像処理方法の一様状によると、本発明による背景画面動映像媒体再生機を利用した背景画面の動映像処理方法は、再生される動映像ファイルの順次的な再生リストを生成する順次再生リスト生成段階と；システム資源の使用状態を周期的に繰り返して判断するシステム資源使用判断段階と；前記システム資源使用判断段階によって再生可能だと判断される場合、前記順次再生リストに従い背景画面上に動映像ファイルを再生する再生段階とを含むことを特徴とする。
【００１４】
本発明による背景画面動映像媒体再生機を利用した背景画面の動映像処理方法のまた別の様状によると、本発明による背景画面動映像媒体再生機を利用した背景画面の動映像処理方法は、再生される動映像ファイルの順次的な再生リストを生成する順次再生リスト生成段階と；特定時間帯に実行される動映像ファイルの予約再生リストを生成する予約再生リスト生成段階と；システム資源の使用状態を周期的に繰り返して判断するシステム資源使用判断段階と；予約再生時間帯であるかを判断する予約時間判断段階と；前記システム資源使用判断段階によって再生可能だと判断され、かつ前記予約時間判断段階で予約再生時間帯だと判断される場合は、前記予約再生リストに従い背景画面上に動映像ファイルを再生し、予約再生時間帯でないと判断される場合は、前記順次再生リストに従い背景画面上に動映像ファイルを再生する再生段階とを含むことを特徴とする。
【００１５】
本発明による背景画面動映像媒体再生機を利用した背景画面の動映像処理方法のまた別の様状によると、本発明による背景画面動映像媒体再生機を利用した背景画面の動映像処理方法は、動映像サービスを提供するサーバーに接続する接続段階と；前記サーバーから再生される動映像ファイルの順次的な再生リストを生成する順次再生リスト生成段階と；システム資源の使用状態を周期的に繰り返して判断するシステム資源使用判断段階と；前記システム資源使用判断段階によって再生可能だと判断される場合、前記順次再生リストに従い背景画面上に動映像ファイルを再生する再生段階とを含むことを特徴とする。
【００１６】
本発明による背景画面動映像媒体再生機を利用した背景画面の動映像処理方法のまた別の様状によると、本発明による背景画面動映像媒体再生機を利用した背景画面の動映像処理方法は、動映像サービスを提供するサーバーに接続する接続段階と；前記サーバーから再生される動映像ファイルの順次的な再生リストを生成する順次再生リスト生成段階と；前記サーバーから特定時間帯に実行される動映像ファイルの予約再生リストを生成する予約再生リスト生成段階と；システム資源の使用状態を周期的に繰り返して判断するシステム資源使用判断段階と；予約再生時間帯であるかを判断する予約時間判断段階と；前記システム資源使用判断段階によって再生可能だと判断され、かつ前記予約時間判断段階で予約再生時間帯だと判断される場合は、前記予約再生リストに従い背景画面上に動映像ファイルを再生し、予約再生時間帯でないと判断される場合は、前記順次再生リストに従い背景画面上に動映像ファイルを再生する再生段階とを含むことを特徴とする。
【００１７】
本発明による背景画面動映像媒体再生機を利用した背景画面の動映像処理方法のまた別の様状によると、本発明による背景画面動映像媒体再生機を利用した背景画面の動映像処理方法は、動映像サービスを提供するサーバーに接続する接続段階と；前記サーバーに連結され、実時間で動映像をサーバーに貯蔵する多数のウェブカメラの中、実行したいウェブカメラに対する順次的なチャンネルリストを選択する順次チャンネル選択段階と；システム資源の使用状態を周期的に繰り返して判断するシステム資源使用判断段階と；前記システム資源使用判断段階によって再生可能だと判断される場合、前記順次チャンネルリストに従い背景画面上に動映像ファイルを再生する再生段階とを含むことを特徴とする。
【００１８】
本発明による背景画面動映像媒体再生機を利用した背景画面の動映像処理方法のまた別の様状によると、本発明による背景画面動映像媒体再生機を利用した背景画面の動映像処理方法は、動映像サービスを提供するサーバーに接続する接続段階と；前記サーバーに連結され、実時間で動映像をサーバーに貯蔵する多数のウェブカメラの中、実行したいウェブカメラに対する順次的なチャンネルリストを選択する順次チャンネル選択段階と；前記サーバーに連結され、実時間で動映像をサーバーに貯蔵する多数のウェブカメラの中、特定時間帯に実行したいウェブカメラに対する予約チャンネルリストを選択する予約チャンネル選択段階と；システム資源の使用状態を周期的に繰り返して判断するシステム資源使用判断段階と；予約再生時間帯であるかを判断する予約時間判断段階と；前記システム資源使用判断段階によって再生可能だと判断され、かつ前記予約時間判断段階で予約再生時間帯だと判断される場合は、前記予約チャンネルリストに従い背景画面上に動映像ファイルを再生し、予約再生時間ではないと判断される場合は、前記順次チャンネルリストに従い背景画面上に動映像ファイルを再生する再生段階とを含むことを特徴とする。
【００１９】
本発明による背景画面動映像媒体再生機を利用した背景画面の動映像処理方法のまた別の様状によると、本発明による背景画面動映像媒体再生機を利用した背景画面の動映像処理方法は、画像カメラの設置された個人用コンピュータで、画像サービスを提供する画像サービス提供サーバーに接続する接続段階と；前記画像サービス提供サーバーに、画像カメラの設置された遠隔の個人用コンピュータへの連結を要請する連結要請段階と；前記画像サービス提供サーバーから画像カメラの設置された遠隔の個人用コンピュータへの連結の承認を受け、この遠隔の個人用コンピュータに設置された画像カメラから実時間で動映像を受信する受信段階と；システム資源の使用状態を周期的に繰り返して判断するシステム資源使用判断段階と；前記システム資源使用判断段階によって再生可能だと判断される場合、背景画面上に前記受信される動映像ストリームを再生する再生段階とを含むことを特徴とする。
【００２０】
本発明による背景画面動映像媒体再生機を利用した背景画面の動映像処理方法のまた別の様状によると、本発明による背景画面動映像媒体再生機を利用した背景画面の動映像処理方法の前記再生段階で、システム資源使用判断段階によって再生可能だと判断されない場合、所定の停止画像を再生することを特徴とする。
【００２１】
（発明を実施するための最良形態）
以下、添付の図面を参照して記述される本発明の好ましい実施例を介して、本発明を当業者が容易に理解し、再現できるように詳細に説明する。
【００２２】
図１は、本発明による背景画面動映像媒体再生機のブロック図である。
【００２３】
本発明による背景画面動映像媒体再生機１０は、背景画面オーバーレイ部１１，システムモニター部１２，再生リストスケジュール部１３および制御操作部１４とを含み、付加的にイベント処理部１５およびウェブ接続部１６をさらに含む。
【００２４】
具体的に、前記背景画面オーバーレイ部１１は、前記システムモニター部１２，再生リストスケジュール部１３，イベント処理部１５およびウェブ接続部１６からの信号と前記制御操作部１４の制御コントロールによって、指定された動映像を背景画面にオーバーレイして再生するように、運営体制２０のディスプレイシステム２２に信号する。
【００２５】
前記オーバーレイ部１１により、背景画面に動映像を再生させるための具体的な過程を見ると、まず全体画面で使用頻度の低い色を背景画面の色に設定し、動映像再生時、ＶＧＡカードのオーバーレイミキサーを使用して、全体画面の中の設定された色の上にだけ動映像が現れるようにする。
【００２６】
結果的に、背景画面と再生する動映像とを結合し、背景画面の設定された色の部分が消え去り、そこに再生する動映像が現れることになる。これは、クロマキー（Chromakey）の一般的な原理を応用したもので、デジタル上で正確な色コードを有するピクセルが代替されるので、より精巧なクロマキー効果を得ることができるようになるのである。
【００２７】
上記のような効果は、最新機種のＶＧＡカードでほとんど支援する機能で、低水準のＶＧＡドライバー関数として提供され、たとえばマイクロソフト社で提供するダイレクトＸ（Direct-X）の特定ビデオ制御関数を介して可能である。
【００２８】
前記システムモニター部１２は、運営体制２０のシステム資源マネージャー２１からシステム資源の使用程度を把握し、システム使用量が過度であったり、背景画面が完全に覆われている場合、背景画面動映像の再生を一時中断するようにし、再び再生できる状況になった場合に再生を実行するよう、持続的にモニターリングを行って、前記背景画面オーバーレイ部１１に停止及び再生命令を伝達する。
【００２９】
前記再生リストスケジュール部１３は、運営体制２０のシステムタイマー２３により使用者定義による再生ファイルリストの順次的再生、予約時間帯による再生ファイルの変更の役割を遂行するもので、再生ファイルリストおよび予約再生ファイルリストを前記背景画面オーバーレイ部１１に伝達する。
【００３０】
前記制御操作部１４は、動映像の実行、中止、一時停止などを含む制御コントロールを前記背景画面オーバーレイ部１１に伝達し、所定キー繰り返し入力によって背景画面上から現れたり消えたりするオン／オフ動作を遂行する。
【００３１】
前記イベント処理部１５は、使用者がイベント予約を設定した場合、動映像を提供する動映像サービスサーバー３０と周期的に通信を行い、イベントの発生可否を判断し、イベントが発生した場合、貯蔵された動映像のディスプレイ命令、またはサーバー内に貯蔵された動映像、または設置されたウェブカメラを介する実時間イベント動映像のストリーミング命令を前記背景画面オーバーレイ部１１に伝達する。
【００３２】
一方、前記イベント処理部は、予め指定された動映像が存在しない場合、サービス提供サーバーから所定動映像を伝送してもらって実行したり、ウェブカメラから実時間で所定動映像を伝送してもらって実行する。
【００３３】
前記ウェブ接続部１６は、使用者が動映像サービスサーバー３０に接続するようにし、前記動映像サービスサーバーに存在する動映像ファイルの簡単なプリビューを遂行するように、サンプル動映像のストリーミング命令を前記背景画面のオーバーレイ部１１に伝達する。
【００３４】
従って、本発明による背景画面動映像媒体再生機１０は、制御操作部１４の制御命令に従い前記再生リストスケジュール部１３から動映像再生ファイルリストを前記背景画面オーバーレイ部１１で受信し、前記背景画面オーバーレイ部１１が、前記システムモニター部１２を介してシステム資源の使用程度を把握して、システム使用量が過度でなかったり背景画面が完全に覆われていない場合、動映像を再生し、システム使用量が過度であったり背景画面が完全に覆われている場合、背景画面動映像の再生を一時中断する。
【００３５】
一方、使用者が前記再生リストスケジュール部１３を介してイベント予約を設定した場合、イベント処理部１５によって動映像を提供する動映像サービスサーバー３０と通信を行ってイベントの発生可否を判断し、イベントが発生した場合、貯蔵された動映像のディスプレイ命令、または動映像サービスサーバー３０の動映像、または実時間イベント動映像のストリーミング命令を前記背景画面オーバーレイ部１１に伝達し、背景画面オーバーレイ部１１によって背景画面に動映像を再生する。
【００３６】
また、使用者が動映像サービスサーバー３０に接続して前記動映像サービスサーバーに存在する動映像ファイルを選択すると、前記ウェブ接続部１６は、この選択された動映像ファイルの簡単なプリビューを遂行するように、サンプル動映像のストリーミング命令を前記背景画面オーバーレイ部１１に伝達して背景画面に動映像を再生する。
【００３７】
一方、背景画面に動映像を実行、中止、一時停止させたりする制御命令は、前記制御操作部１４によって操作されて前記背景画面オーバーレイ部１１に伝達されるもので、この制御操作部１４は、所定キーの繰り返し入力によって背景画面上から現れたり消えたりするオン／オフ動作をするポップアップダイアログ形態である。従って、使用者は、たとえばマウスの右側のボタンをクリックすることによって、前記制御操作部１４を背景画面上に現れるようにしたり消したりすることができる。
【００３８】
図２は、本発明による背景画面動映像媒体再生機を利用した背景画面の動映像処理方法の第１実施例のフローチャートである。
【００３９】
第１実施例による背景画面動映像媒体再生機を利用した背景画面の動映像処理方法は、順次再生リスト生成段階Ｓ１００，システム資源使用判断段階Ｓ１１０，再生段階Ｓ１２０とを含む。
【００４０】
前記順次再生リスト生成段階Ｓ１００で、再生される動映像ファイルの順次的な再生リストを生成し、システム資源使用判断段階Ｓ１１０で、システム資源の使用状態を周期的に繰り返して判断して再生可能だと判断される場合、再生段階Ｓ１２０で、前記順次再生リストに従い背景画面上に動映像ファイルを再生する。
【００４１】
図３は、本発明による背景画面動映像媒体再生機を利用した背景画面の動映像処理方法の第２実施例のフローチャートである。
【００４２】
第２実施例による背景画面動映像媒体再生機を利用した背景画面の動映像処理方法は、順次再生リスト生成段階Ｓ２００，予約再生リスト生成段階Ｓ２１０，システム資源使用判断段階Ｓ２２０，予約時間判断段階Ｓ２３０および再生段階Ｓ２４０とを含む。
【００４３】
前記順次再生リスト生成段階Ｓ２００で、再生される動映像ファイルの順次的な再生リストを生成し、予約再生リスト生成段階Ｓ２１０によって特定時間帯に実行される動映像ファイルの予約再生リストを生成し、システム資源使用判断段階Ｓ２２０を介してシステム資源の使用状態を周期的に繰り返して判断し、予約時間判断段階Ｓ２３０を介して予約再生時間帯であるかを判断して、前記システム資源使用判断段階Ｓ２２０によって再生可能だと判断され、かつ前記予約時間判断段階Ｓ２３０で予約再生時間帯だと判断される場合は、前記再生段階Ｓ２４０で前記予約再生リストに従い背景画面上に動映像ファイルを再生する。
【００４４】
図４は、本発明による背景画面動映像媒体再生機を利用した背景画面の動映像処理方法の第３実施例のフローチャートである。
【００４５】
第３実施例による、本発明による背景画面動映像媒体再生機を利用した背景画面の動映像処理方法は、接続段階Ｓ３００，順次再生リスト生成段階Ｓ３１０，システム資源使用判断段階Ｓ３２０，再生段階Ｓ３３０とを含む。
【００４６】
前記接続段階Ｓ３００で、使用者はインターネットを介して動映像サービスを提供するサーバーに接続し、前記順次再生リスト生成段階Ｓ３１０で、前記サーバーから再生される動映像ファイルの順次的な再生リストを生成し、システム資源使用判断段階Ｓ３２０で、前記システム資源の使用状態を周期的に繰り返して判断して再生可能だと判断される場合、再生段階Ｓ３３０で前記順次再生リストに従い背景画面上に動映像ファイルを再生する。
【００４７】
図５は、発明による背景画面動映像媒体再生機を利用した背景画面の動映像処理方法の第４実施例のフローチャートである。
【００４８】
第４実施例による背景画面動映像媒体再生機を利用した背景画面の動映像処理方法は、接続段階Ｓ４００，順次再生リスト生成段階Ｓ４１０，予約再生リスト生成段階Ｓ４２０，システム資源使用判断段階Ｓ４３０，予約時間判断段階Ｓ４４０，再生段階Ｓ４５０とを含む。
【００４９】
前記接続段階Ｓ４００で、使用者は動映像サービスを提供するサーバーに接続し、前記順次再生リスト生成段階Ｓ４１０を介して前記サーバーから再生される動映像ファイルの順次的な再生リストを生成し、前記予約再生リスト生成段階Ｓ４２０を介して前記サーバーから特定時間帯に実行される動映像ファイルの予約再生リストを生成し、前記システム資源使用判断段階Ｓ４３０によってシステム資源の使用状態を周期的に繰り返して判断し、前記予約時間判断段階Ｓ４４０によって予約再生時間帯であるかを判断して、前記システム資源使用判断段階Ｓ４３０によって再生可能だと判断され、かつ前記予約時間判断段階Ｓ４４０で予約再生時間帯であると判断される場合、前記再生段階Ｓ４５０で前記予約再生リストに従い背景画面上に動映像ファイルを再生し、予約再生時間帯でないと判断される場合は、前記順次再生リストに従い背景画面上に動映像ファイルを再生する。
【００５０】
図６は、発明による背景画面動映像媒体再生機を利用した背景画面の動映像処理方法の第５実施例のフローチャートである。
【００５１】
第５実施例による背景画面動映像媒体再生機を利用した背景画面の動映像処理方法は、接続段階Ｓ５００，順次チャンネル選択段階Ｓ５１０，システム資源使用判断段階Ｓ５２０，再生段階Ｓ５３０とを含む。
【００５２】
前記接続段階Ｓ５００で、使用者は動映像サービスを提供するサーバーに接続し、前記順次チャンネル選択段階Ｓ５１０によって前記サーバーに連結され、実時間で動映像をサーバーに貯蔵する多数のウェブカメラの中、実行したいウェブカメラに対する順次的なチャンネルリストを選択し、前記システム資源使用判断段階Ｓ５２０を介してシステム資源の使用状態を周期的に繰り返して判断して再生可能だと判断される場合、前記再生段階Ｓ５３０で前記順次チャンネルリストに従い背景画面上に動映像ファイルを再生する。
【００５３】
図７は、本発明による背景画面動映像媒体再生機を利用した背景画面の動映像処理方法の第６実施例のフローチャートである。
【００５４】
第６実施例による背景画面動映像媒体再生機を利用した背景画面の動映像処理方法は、接続段階Ｓ６００、順次チャンネル選択段階Ｓ６１０，予約チャンネル選択段階Ｓ６２０，システム資源使用判断段階Ｓ６３０，予約時間判断段階Ｓ６４０，再生段階Ｓ６５０とを含む。
【００５５】
前記接続段階Ｓ６００で、使用者は動映像サービスを提供するサーバーに接続し、順次チャンネル選択段階Ｓ６１０を介して、前記サーバーに連結され、実時間で動映像をサーバーに貯蔵する多数のウェブカメラの中、実行したいウェブカメラに対する順次的なチャンネルリストを選択し、前記予約チャンネル選択段階Ｓ６２０を介して、前記サーバーに連結され、実時間で動映像をサーバーに貯蔵する多数のウェブカメラの中、特定時間帯に実行したいウェブカメラに対する予約チャンネルリストを選択し、前記システム資源使用判断段階Ｓ６３０によってシステム資源の使用状態を周期的に繰り返して判断し、予約時間判断段階Ｓ６４０によって予約再生時間帯であるかを判断して、前記システム資源使用判断段階Ｓ６３０によって再生可能であると判断され、かつ前記予約時間判断段階Ｓ６４０で予約再生時間帯だと判断される場合は、前記再生段階Ｓ６５０で前記予約チャンネルリストに従い背景画面上に動映像ファイルを再生し、予約再生時間帯でないと判断される場合は、前記順次チャンネルリストに従い背景画面上に動映像ファイルを再生する。
【００５６】
前記第５および第６実施例で再生する背景画面は、各々違うウェブカメラから伝送される動映像をモニター上にて画面分割方式で同時に再生して、一つの背景画面として提供することができることも、やはり本発明から派生される本発明の範疇に属することは当然である。
【００５７】
図８は、本発明による背景画面動映像媒体再生機を利用した背景画面の動映像処理方法の第７実施例のフローチャートである。
【００５８】
第７実施例による背景画面動映像媒体再生機を利用した背景画面の動映像処理方法は、接続段階Ｓ７００，連結要請段階Ｓ７１０，受信段階Ｓ７２０，システム資源使用判断段階Ｓ７３０と再生段階Ｓ７４０を含む。
【００５９】
前記接続段階Ｓ７００で、使用者は画像カメラの設置された自分の個人用コンピュータでインターネット接続して画像サービスを提供する画像サービス提供サーバーに接続し、前記連結要請段階Ｓ７１０を介して前記画像サービス提供サーバーに、画像カメラの設置された遠隔の個人用コンピュータへの連結を要請し、前記画像サービス提供サーバーから画像カメラの設置された遠隔の個人用コンピュータへの連結を承認してもらい、前記受信段階Ｓ７２０を介してこの遠隔の個人用コンピュータに設置された画像カメラから実時間で動映像を受信し、前記システム資源使用判断段階Ｓ７３０を介してシステム資源の使用状態を周期的に繰り返して判断して再生可能だと判断される場合、前記再生段階Ｓ７４０で背景画面上に前記受信される動映像ストリームを再生する。
【００６０】
一方、本発明による背景画面動映像媒体再生機を利用した背景画面の動映像処理方法の前記再生段階で、システム資源使用判断段階によって再生可能だと判断されない場合は、所定の停止画像を再生することによって、システム資源使用に過負荷がかからないようにする。
【００６１】
また、本発明は、本発明による背景画面動映像媒体再生機およびこれを利用した背景画面の動映像処理方法をコンピュータに実行させるためのプログラムを記録した、コンピュータが読み取り可能な記録媒体をさらに含む。
【００６２】
このような記録媒体の種類としては、フロッピーディスク（登録商標）（Floppy Disk）、ハードディスク（Hard Disk）、シーディーロム（CDROM）などの通常的なメモリー装置を利用し、本発明による動映像媒体再生機およびこれを利用した背景画面の動映像処理方法を適用して設置プログラムまたはプラグイン化し、コンピュータを介して実行できるように貯蔵する。
【００６３】
上記のようにすることによって、本発明による背景画面動映像媒体再生機およびこれを利用した背景画面の動映像処理方法は、前記の本発明の目的を達成させてくれる。
【００６４】
（産業上の利用可能性）
以上で説明したような、本発明による背景画面動映像媒体再生機およびこれを利用した背景画面の動映像処理方法は、背景画面の鑑賞時にだけ動画像をディスプレイすることによって、システム資源を効率的に管理することができ、使用者が動画像再生順序を任意にプログラミングすることができ、特定イベントの予約が可能なので、使用者に自然景観などの動的な感じの背景画面を提供することができる有用な効果がある。
【００６５】
本発明は、添付の図面を参照して好ましい実施例を中心に記述されたが、当業者なら、このような記載から特許請求の範囲により包括される本発明の範疇を脱することなく、多様な変形が可能であることは明白である。
【図面の簡単な説明】
【図１】  本発明による背景画面動映像媒体再生機のブロック図である。
【図２】  本発明による背景画面動映像媒体再生機を利用した背景画面の動映像処理方法の第１実施例のフローチャートである。
【図３】  本発明による背景画面動映像媒体再生機を利用した背景画面の動映像処理方法の第２実施例のフローチャートである。
【図４】  本発明による背景画面動映像媒体再生機を利用した背景画面の動映像処理方法の第３実施例のフローチャートである。
【図５】  本発明による背景画面動映像媒体再生機を利用した背景画面の動映像処理方法の第４実施例のフローチャートである。
【図６】  本発明による背景画面動映像媒体再生機を利用した背景画面の動映像処理方法の第５実施例のフローチャートである。
【図７】  本発明による背景画面動映像媒体再生機を利用した背景画面の動映像処理方法の第６実施例のフローチャートである。
【図８】  本発明による背景画面動映像媒体再生機を利用した背景画面の動映像処理方法の第７実施例のフローチャートである。
【図１】
0003720808.tif 000002
【図２】
0003720808.tif 000003
【図３】
0003720808.tif 000004
【図４】
0003720808.tif 000005
【図５】
0003720808.tif 000006
【図６】
0003720808.tif 000007
【図７】
0003720808.tif 000008
【図８】
0003720808.tif 000009